(57)【要約】【課題】  基材の伸縮性を利用することなく、物品の出し入れを可能とする物品パッケージの一例を開示する。【解決手段】  物品Ｂの一部が露出状態となる第２取出穴３Ｃが設けられたパッケージ本体３と、第２取出穴３Ｃの外縁部の一部を構成するように当該外縁に沿って湾曲して延びる第１連結フラップ４であって、延び方向先端部４Ａがシート材２に設けられた第１切込スリット６に挿入されて当該シート材２に連結された第１連結フラップ４とを備える。第１連結フラップ４の延び方向先端側が、第１切込スリット６に挿入された状態でシート材２に接触しながら滑り揺動変位すると、第２取出穴３Ｃの外縁部が変位し、当該第２取出穴３Ｃの大きさが変化する。したがって、基材の伸縮性を利用することなく、物品Ｂの出し入れが可能となり得る。【選択図】  図２
2020182665.tif 000002
【特許請求の範囲】
【請求項１】
球体状の物品を収納する物品パッケージにおいて、
可撓性を有するシート材（２）が湾曲して構成されたパッケージ本体（３）であって、物品を覆うようにして当該物品が収納される収納空間（３Ａ）を構成するとともに、物品が当該収納空間（３Ａ）内に収納された際に、当該物品の一部が露出状態となる取出穴（３Ｂ）が設けられたパッケージ本体（３）と、
前記取出穴（３Ｂ）の外縁部の一部を構成するように当該外縁に沿って湾曲して延びる第１連結フラップ（４）であって、延び方向先端部（４Ａ）がシート材（２）に設けられた第１切込スリット（６）に挿入されて当該シート材（２）に連結された第１連結フラップ（４）と、
前記取出穴（３Ｂ）の外縁部の一部を構成するとともに、当該取出穴（３Ｂ）を挟んで前記第１連結フラップ（４）と反対側の位置にて当該外縁に沿って湾曲して延びる第２連結フラップ（５）であって、延び方向先端側がシート材（２）に設けられた第２切込スリット（７）に挿入されて当該シート材（２）に連結第２連結フラップ（５）とを備え、
少なくとも前記第１連結フラップ（４）の延び方向先端側は、前記第１切込スリット（６）に挿入された状態で前記シート材（２）に接触しながら滑り揺動変位が可能である物品パッケージ。
【請求項２】
前記第１連結フラップ（４）の延び方向先端側のうち前記第１切込スリット（６）に挿入された部位を差込フラップ（４Ａ）としたとき、前記差込フラップ（４Ａ）は、根元の幅方向一端側及び他端側に当該差込フラップ（４Ａ）の幅寸法を縮小させる凹部（４Ｂ、４Ｃ）が設けられたシート状の部位であり、
前記第１切込スリット（６）は、直線状の第１スリット部（６Ａ）、当該第１スリット部（６Ａ）の一端から当該第１スリット部（６Ａ）と交差する方向に延びる第２スリット部（６Ｂ）、及び当該第１スリット部（６Ａ）の他端から当該第１スリット部（６Ａ）と交差する方向に延びる第３スリット部（６Ｃ）を有して構成され、
さらに、前記第１切込スリット（６）が形成された部位（２Ａ）、及び前記第１連結フラップ（４）の延び方向先端側は、前記差込フラップ（４Ａ）が前記第１切込スリット（６）に挿入された状態において、曲面状又は平面状を構成する請求項１に記載の物品パッケージ。
【請求項３】
前記パッケージ本体（３）のうち、前記取出穴（３Ｂ）に対して前記収納空間（３Ａ）の中心側にずれた位置には、収納された物品の一部が露出状態となる押圧穴（３Ｅ、３Ｆ）が設けられている請求項１又は２に記載の物品パッケージ。
【請求項４】
前記シート材（２）には、前記パッケージ本体（３）から延出する吊し部（１１）が設けられており、
前記吊し部（１１）と前記パッケージ本体（３）との境界部分の一部には、線状の第３切込スリット（１１Ａ）が設けられている請求項１ないし３のいずれか１項に記載の物品パッケージ。
【発明の詳細な説明】
【技術分野】
【０００１】
本開示は、球体状の物品を収納する物品パッケージに関する。なお、球状の物品とは、真球状や紡錘体状等の閉じた曲面にて構成された物品をいう。
【背景技術】
【０００２】
例えば、特許文献１に記載のゴルフボールホルダは、伸縮自在な不織布等の基材にて３つのゴルフボールが収納な可能な収納空間が構成されている。ゴルフボールホルダのうち三角形の頂部に相当する部位には、ゴルフボールが出し入れ可能な挿入穴が設けられている。
【０００３】
当該ゴルフボールホルダを利用する者（以下、利用者という。）は、挿入穴を拡げることにより、ゴルフボールを収納空間から出し入れすることができる。つまり、利用者は、ゴルフボールを収納空間に入れる際には、挿入口を拡げる必要がある。
【０００４】
つまり、当該ゴルフボールホルダは、伸縮自在な基材にて構成されているので、ゴルフボールが収納されると、挿入口が自動的に縮まるので、収納されたゴルフボールが収納空間内に止まる。そして、利用者は、挿入口を拡げることにより、収納空間内のゴルフボールを取り出すことができる。
【先行技術文献】
【特許文献】
【０００５】
【特許文献１】特開２００２−０００７６９号公報
【発明の概要】
【発明が解決しようとする課題】
【０００６】
特許文献１に記載の発明では、基材の伸縮性を利用してゴルフボール等の球状物品の出し入れを可能とする発明である。本開示は、基材の伸縮性を利用することなく、物品の出し入れを可能とする物品パッケージの一例を開示する。
【課題を解決するための手段】
【０００７】
球体状の物品を収納する物品パッケージは、例えば、以下の構成要件のうち少なくとも１つを備えることが望ましい。
すなわち、当該構成要件は、可撓性を有するシート材（２）が湾曲して構成されたパッケージ本体（３）であって、物品を覆うようにして当該物品が収納される収納空間（３Ａ）を構成するとともに、物品が当該収納空間（３Ａ）内に収納された際に、当該物品の一部が露出状態となる取出穴（３Ｂ）が設けられたパッケージ本体（３）と、取出穴（３Ｂ）の外縁部の一部を構成するように当該外縁に沿って湾曲して延びる第１連結フラップ（４）であって、延び方向先端部（４Ａ）がシート材（２）に設けられた第１切込スリット（６）に挿入されて当該シート材（２）に連結された第１連結フラップ（４）と、取出穴（３Ｂ）の外縁部の一部を構成するとともに、当該取出穴（３Ｂ）を挟んで第１連結フラップ（４）と反対側の位置にて当該外縁に沿って湾曲して延びる第２連結フラップ（５）であって、延び方向先端側がシート材（２）に設けられた第２切込スリット（７）に挿入されて当該シート材（２）に連結第２連結フラップ（５）とを備え、少なくとも第１連結フラップ（４）の延び方向先端側は、第１切込スリット（６）に挿入された状態でシート材（２）に接触しながら滑り揺動変位が可能である。
【０００８】
そして、第１連結フラップ（４）の延び方向先端側が、第１切込スリット（６）に挿入された状態でシート材（２）に接触しながら滑り揺動変位すると、取出穴（３Ｂ）の外縁部が変位し、当該取出穴（３Ｂ）の大きさが変化する。したがって、基材の伸縮性を利用することなく、物品の出し入れが可能となり得る。
【０００９】
因みに、上記各括弧内の符号は、後述する実施形態に記載の具体的構成等との対応関係を示す一例であり、本開示は上記括弧内の符号に示された具体的構成等に限定されるものではない。
【図面の簡単な説明】
【００１０】
【図１】第１実施形態に係るボールホルダを示す図である。
【図２】第１実施形態に係るボールホルダを示す図である。
【図３】第１実施形態に係るボールホルダを示す図である。
【図４】第１実施形態に係るボールホルダを構成するシート材の展開図である。
【図５】第１実施形態に係るボールホルダを示す図である。
【図６】第１実施形態に係るボールホルダを示す図である。
【図７】第１実施形態に係るボールホルダを示す図である。
【図８】第１実施形態に係るボールホルダを示す図である。
【図９】第１実施形態に係るボールホルダを作動説明図である。
【図１０】第１実施形態に係るボールホルダの使用方法の一例を示す図である。
【発明を実施するための形態】
【００１１】
以下の「発明の実施形態」は、本開示の技術的範囲に属する実施形態の一例を示すものである。つまり、特許請求の範囲に記載された発明特定事項等は、下記の実施形態に示された具体的構成や構造等に限定されるものではない。
【００１２】
なお、各図に付された方向を示す矢印及び斜線等は、各図相互の関係及び各部材又は部位の形状を理解し易くするために記載されたものである。したがって、本開示に示された発明は、各図に付された方向に限定されるものではない。斜線が付された図は断面図を示すものではない。
【００１３】
少なくとも符号が付されて説明された部材又は部位は、「１つの」等の断りがされた場合を除き、少なくとも１つ設けられている。つまり、「１つの」等の断りがない場合には、当該部材は２以上設けられていてもよい。本開示に示された物品パッケージは、少なくとも符号が付されて説明された部材又は部位等の構成要素を備える。
【００１４】
（第１実施形態）
＜１．ボールホルダの概要＞
本実施形態は、ゴルフボールを収納するゴルフボールホルダに本開示に係る物品パッケージの一例が適用されたものである。本実施形態に係る物品パッケージ（以下、ボールホルダ１という。）は、図１〜３に示されるように、３つのゴルフボールＢを収納可能である。
【００１５】
ボールホルダ１は、図４に示された平板状のシート材２が曲げられて構成されたものである。本実施形態に係るシート材２は、ユポ紙等の可撓性に優れた樹脂製の板材である。なお、シート材２は、植物繊維で構成された紙であってもよい。
【００１６】
ボールホルダ１は、図１〜図３に示されるように、パッケージ本体３、第１連結フラップ４及び第２連結フラップ５等を少なくとも備える。パッケージ本体３は、物品（本実施形態では、ゴルフボールＢ）が収納される収納空間３Ａを構成する。
【００１７】
シート材２には、パッケージ本体３から延出する吊し部１１が設けられている。吊し部１１は、パッケージ本体３（ボールホルダ１）を吊り下げるための部位である。そして、吊し部１１とパッケージ本体３との境界部分の一部には、線状の切込スリット１１Ａ（図２参照）が設けられている。
【００１８】
以下、パッケージ本体３のうち吊し部１１と連なる部位を後方とし、収納空間３Ａを挟んで吊し部１１と反対側を前方側とする。略三角状のパッケージ本体３のうち吊し部１１側の頂部を上方側とし、収納空間３Ａを挟んで吊し部１１と反対側に位置する２つ頂部側を下方側とする。
【００１９】
＜１．２  パッケージ本体の構成＞
パッケージ本体３は、図５〜図７に示されるように、シート材２が略Ｕ字状に湾曲して構成された部位である。当該パッケージ本体３には、第１取出穴３Ｂ、第２取出穴３Ｃ及び第３取出穴３Ｄが設けられている。
【００２０】
第１取出穴３Ｂ〜第３取出穴３Ｄは、利用者が物品（ゴルフボールＢ）をパッケージ本体３に対して出し入れする際に利用される開口である。第１取出穴３Ｂ〜第３取出穴３Ｄの大きさは、図１に示されるように、物品が収納空間３Ａ内に収納された際に、当該物品の一部が露出状態となる程度の大きさの開口である。
【００２１】
なお、ボールホルダ１は、中央線Ｌｏ（図５及び図６参照）に対して略線対称（左右対称）となる構造である。このため、図４に示されるボールホルダ１の展開形状も中央線Ｌｏに対して略線対称（左右対称）である。
【００２２】
第１取出穴３Ｂの外縁部の一部は、図８に示されるように、第１連結フラップ４及び第２連結フラップ５により構成されている。第１連結フラップ４及び第２連結フラップ５は、図４に示されるように、シート材２の一部により構成されている。
【００２３】
第１連結フラップ４は、図８に示されるように、第１取出穴３Ｂの紙面右側外縁部の一部を構成するように当該外縁に沿って湾曲して延びる部分である。当該第１連結フラップ４の延び方向先端側（図４において、符号４Ａが付された部位）は、シート材２に設けられた第１切込スリット６（図４参照）に挿入されて当該シート材２に連結されている（図７参照）。
【００２４】
第２連結フラップ５は、第１取出穴３Ｂを挟んで第１連結フラップ４と反対側、つまり第１取出穴３Ｂの紙面左側に設けられている。そして、第２連結フラップ５は、当該外縁部の一部を構成するように当該外縁に沿って湾曲して延びている。
【００２５】
第２連結フラップ５の延び方向先端側（図４において、符号５Ａが付された部位）は、シート材２に設けられた第２切込スリット７（図４参照）に挿入されて当該シート材２に連結されている。
【００２６】
パッケージ本体３には、図１及び図２に示されるように、少なくとも１つ（本実施形態では、複数の）押圧穴３Ｅ、３Ｆが設けられている。各押圧穴３Ｅ、３Ｆは、第１取出穴３Ｂ〜第３取出穴３Ｄに対して中心側にずれた位置に設けられている。左記「中心」とは、例えば、収納空間３Ａの中心又は重心をいう。
【００２７】
各押圧穴３Ｅ、３Ｆは、収納された物品の一部が露出状態となる位置及び大きさである。具体的には、押圧穴３Ｅは、パッケージ本体３の前方側の部位に設けられている。当該押圧穴３Ｅは、当該部位の中心を貫通した略三角状の貫通穴である。押圧穴３Ｆは、押圧穴３Ｅと合同な形状であって、収納空間３Ａを挟んで押圧穴３Ｅと対称の位置に設けられている。
【００２８】
＜１．３  第１連結フラップ及び第２連結フラップの連結構造＞
＜連結構造の概要＞
第１連結フラップ４は、第１切込スリット６に挿入されてシート材２に連結されている（図２参照）。第２連結フラップ５は、第２切込スリット７に挿入されてシート材２に連結されている（図３参照）。
【００２９】
これにより、シート材２は、パッケージ本体３の下側に相当する部位が略Ｕ字状に湾曲した状態に保持される。つまり、シート材２により、収納空間３Ａを有するパッケージ本体３が構成される（図８参照）とともに、第１取出穴３Ｂの外縁部が構成される（図８参照）。
【００３０】
第１連結フラップ４と第１切込スリット６との連結構造は、第２連結フラップ５と第２切込スリット７との連結構造と同じである。つまり、図４に示されるように、第１連結フラップ４及び第１切込スリット６は、中央線Ｌｏに対して第２連結フラップ５及び第２切込スリット７と線対称な形状である。
【００３１】
＜連結構造の詳細＞
以下の説明は、第１連結フラップ４と第１切込スリット６との連結構造の説明である。
すなわち、第１連結フラップ４の延び方向先端側は、第１切込スリット６に挿入された状態で、例えば図９に記載された矢印のように、シート材２に接触しながら滑り揺動変位可能である。
【００３２】
具体的には、第１連結フラップ４の延び方向先端側のうち第１切込スリット６に挿入される部位を差込フラップ４Ａとしたとき、図４に示されるように、当該差込フラップ４Ａの根元には、凹部４Ｂ、４Ｃが設けられている。凹部４Ｂ、４Ｃは、当該根元の幅寸法を幅方向一端側及び他端側に縮小させる部位である。
【００３３】
なお、幅寸法とは、第１連結フラップ４の延び方向Ｌ１及びシート材２の厚み方向と直交する方向の寸法をいう。本実施形態に係る差込フラップ４Ａは、第１連結フラップ４のうち幅寸法が縮小した部位である。そして、差込フラップ４Ａの根元とは、当該差込フラップ４Ａのうち押圧穴３Ｅ側の部位をいう。
【００３４】
第１切込スリット６は、少なくとも３つの部分６Ａ〜６Ｃ（以下、第１スリット部６Ａ、第２スリット部６Ｂ及び第３スリット部６Ｃという。）を有する線状の切り込み部である。第１スリット部６Ａは、直線状の切り込みスリットである。
【００３５】
第１スリット部６Ａの延び方向は、第１連結フラップ４が第１切込スリット６に挿入された状態で、第１連結フラップ４の延び方向Ｌ１と略直交する方向である。第２スリット部６Ｂは、第１スリット部６Ａの一端から当該第１スリット部６Ａと交差する方向に延びる切り込みスリットである。
【００３６】
第３スリット部６Ｃは、第１スリット部６Ａの他端から当該第１スリット部６Ａと交差する方向に延びる切り込みスリットである。第２スリット部６Ｂと第３スリット部６Ｃとは、第１スリット部６Ａの中点を通る仮想の垂線Ｌ２に対して略線対称となる構成である。
【００３７】
なお、本実施形態に係る第２スリット部６Ｂ及び第３スリット部６Ｃは、曲線状の切り込みスリットである。第２スリット部６Ｂ及び第３スリット部６Ｃを構成する曲線は、当該スリット６Ｂ、６Ｃを挟んで押圧穴３Ｆと反対側に曲率中心が位置するような曲線である。
【００３８】
第１スリット部６Ａの長さＷ１は、差込フラップ４Ａの根元幅Ｗ３と同一又はＷ１より僅かに大きい寸法である。第１切込スリット６の長さＷ２は、差込フラップ４Ａの最大幅寸法Ｗ４と同一又はＷ１より僅かに大きい寸法である。
【００３９】
そして、図２及び図７に示されるように、シート材２のうち第１切込スリット６が形成された部位２Ａ、及び第１連結フラップ４の延び方向先端側（差込フラップ４Ａ）は、差込フラップ４Ａが第１切込スリット６に挿入された状態において、曲面状又は平面状となっている。
【００４０】
つまり、図８に示されるように、差込フラップ４Ａが第１切込スリット６に挿入された状態においては、差込フラップ４Ａ及び部位２Ａそれぞれは、物品（ゴルフボールＢ）の曲面に沿うように湾曲している。特に、第１切込スリット６が形成された部位２Ａは、物品に沿うように滑らかに連続した曲面を構成する。
【００４１】
＜２．本実施形態に係るボールホルダの使用方法＞
＜物品の出し入れ方法＞
第１取出穴３Ｂ〜第３取出穴３Ｄの大きさは、物品が収納空間３Ａ内に収納された際に、当該物品の一部が露出状態となる程度の大きさの開口である。このため、利用者が当該物品をパッケージ本体３に対して出し入れするには、第１取出穴３Ｂ〜第３取出穴３Ｄの大きさを拡大する必要がある。
【００４２】
すなわち、第２スリット部６Ｂ及び第３スリット部６Ｃが第１スリット部６Ａに対して傾いており、かつ、差込フラップ４Ａの根元には凹部４Ｂ、４Ｃが設けられているので、図９に記載された矢印のように、差込フラップ４Ａは、シート材２に接触しながら滑り揺動変位でき得る。
【００４３】
図９中、実線で示され差込フラップ４Ａは、延び方向Ｌ１と垂線Ｌ２とが略一致した状態を示し、一点鎖線又は二点鎖線で示された差込フラップ４Ａは、回転（揺動）変位した状態を示している。なお、本実施形態に係る差込フラップ４Ａは、第１切込スリット６に対して押圧穴３Ｅ側を中心として回転（揺動）変位可能である。
【００４４】
差込フラップ４Ａが一点鎖線又は二点鎖線で示された位置に変位すると、第１取出穴３Ｂの外縁部が変位するため、第１取出穴３Ｂの大きさが拡大する。したがって、利用者は、差込フラップ４Ａを一点鎖線又は二点鎖線で示された位置まで変位させれば、物品をパッケージ本体３に対して出し入れでき得る。
【００４５】
差込フラップ４Ａを変位させる手法としては、（１）差込フラップ４Ａを変位させる力（以下、変位力という。）を利用者が直接的に当該差込フラップ４Ａに作用させる手法、（２）利用者が物品を押圧することにより、当該物品を介して間接的に変位力を差込フラップ４Ａに作用させる手法等がある。
【００４６】
既に収納空間３Ａに物品が収納されている場合においては、利用者は、当該物品のうち押圧穴３Ｅ、３Ｆから露出している部分を押圧することにより、上記変位力を物品を介して間接的に差込フラップ４Ａに作用させることもできる。
【００４７】
収納空間３Ａに物品が収納されていない場合においては、利用者は、パッケージ本体３を捻るように歪ませることにより、差込フラップ４Ａを変位させてもよい。なお、第２連結フラップ５の差込フラップ５Ａ（図４参照）の連結構造も差込フラップ４Ａと同様であるので、利用者は、上記手法により、差込フラップ５Ａを変位させることができ得る。
【００４８】
因みに、パッケージ本体３は、１枚のシート材２にて構成されているので、差込フラップ４Ａ及び差込フラップ５Ａのうち少なくとも一方が変位すると、これに連動して第２取出穴３Ｃ又は第３取出穴３Ｄの外縁部も変位する。したがって、利用者は、上記手法により、第２取出穴３Ｃ又は第３取出穴３Ｄからも物品を出し入れすることができ得る。
【００４９】
＜吊し部の使用方法＞
図１０に示された「吊し部１１の使用法の一例（代表例）」では、吊し部１１は、切込スリット１１Ａを折り起点として折り曲げられている。そして、利用者は、折り曲げられた吊し部１１をフックとして利用することにより、ボールホルダ１を利用者が着用しているズボンのベルトＢｅ等に吊り下げることができる。
【００５０】
本実施形態に係る吊し部１１には、係止フラップ１１Ｂが設けられている。利用者は、ベルトＢｅ等を係止フラップ１１Ｂと吊し部１１とにより挟み込むことにより、ボールホルダ１を確実にベルトＢｅ等に吊り下げることができる。
【００５１】
なお、係止フラップ１１Ｂに設けられた吊り穴１１Ｃは、ボールホルダ１を吊すための穴である。例えば、ゴルフボールＢの販売店店員は、店内に設けられた吊下用フック（図示せず。）を吊り穴１１Ｃに通すことにより、当該ゴルフボールＢを展示することができる。
【００５２】
＜３．本実施形態に係るボールホルダの特徴＞
本実施形態に係るボールホルダ１では、例えば第１連結フラップ４の延び方向先端側、つまり差込フラップ４Ａが、第１切込スリット６に挿入された状態でシート材２に接触しながら滑り揺動変位可能である。
【００５３】
そして、差込フラップ４Ａが、図９に示された一点鎖線又は二点鎖線の位置まで変位すると、少なくとも第１取出穴３Ｂの外縁部が変位し、当該第１取出穴３Ｂの大きさが変化する。したがって、特許文献１に記載された基材の伸縮性を利用することなく、物品の出し入れが可能となり得る。
【００５４】
本実施形態に係るパッケージ本体３では、第１取出穴３Ｂ〜第３取出穴３Ｄに対して収納空間３Ａの中心側にずれた位置に、収納された物品（ゴルフボールＢ）の一部が露出状態となる押圧穴３Ｅ、３Ｆが設けられている。
【００５５】
これにより、上述したように、利用者は、パッケージ本体３に収納された物品（ゴルフボールＢ）を押圧することにより第１連結フラップ４及び第２連結フラップ５のうち少なくとも一方のフラップを変位させることができ得る。したがって、利用者は、第１取出穴３Ｂ〜第３取出穴３Ｄのいずれから物品（ゴルフボールＢ）を取り出すことができる。
【００５６】
本実施形態に係るボールホルダ１には、パッケージ本体３から延出する吊し部１１が設けられ、かつ、吊し部１１とパッケージ本体３との境界部分の一部には、線状の切込スリット１１Ａが設けられている。
【００５７】
これにより、利用者は、上述のように、物品が収納されたボールホルダ１を容易に吊り下げることができる。延いては、物品の可搬性を向上させることが可能となり得る。
（その他の実施形態）
上述の実施形態に係るシート材２は、ユポ紙等の可撓性に優れた樹脂製の板材であった。しかし、本開示はこれに限定されるものではない。すなわち、当該開示は、例えば、植物繊維で構成された紙にてシート材２が構成されていてもよい。
【００５８】
上述の実施形態では、物品の一例としてゴルフボールが示されていた。しかし、本開示はこれに限定されるものではない。すなわち、当該開示は、例えば、その他の物品にも使用可能である。
【００５９】
上述の実施形態では、吊し部１１が設けられていた。しかし、本開示はこれに限定されるものではない。すなわち、当該開示は、例えば、吊し部１１が設けられていないボールホルダ１にも適用可能である。なお、吊し部１１の構造は、上述の実施形態に示された構造に限定されるものではない。
【００６０】
上述の実施形態では、第１切込スリット６が第１スリット部６Ａ〜第３スリット部６Ｃにより構成されて第１連結フラップ４が揺動可能となっていた。しかし、本開示はこれに限定されるものではない。
【００６１】
さらに、本開示は、上述の実施形態に記載された開示の趣旨に合致するものであればよく、上述の実施形態に限定されるものではない。したがって、上述した複数の実施形態のうち少なくとも２つの実施形態が組み合わせられた構成、又は上述の実施形態において、図示された構成要件もしくは符号を付して説明された構成要件のうちいずれかが廃止された構成でもよい。
【符号の説明】
【００６２】
１… ボールホルダ  ３… パッケージ本体  ３Ａ… 収納空間
３Ｂ… 第１取出穴  ３Ｃ… 第２取出穴  ３Ｄ… 第３取出穴
３Ｅ、３Ｆ… 押圧穴  ４… 第１連結フラップ
４Ａ… 差込フラップ  ４Ｂ、４Ｃ… 凹部
５… 第２連結フラップ  ５Ａ… 差込フラップ
６… 第１切込スリット  ６Ａ… 第１スリット部
６Ｂ… 第２スリット部  ６Ｃ… 第３スリット部
７… 第２切込スリット
【図１】
2020182665.tif 000003
【図２】
2020182665.tif 000004
【図３】
2020182665.tif 000005
【図４】
2020182665.tif 000006
【図５】
2020182665.tif 000007
【図６】
2020182665.tif 000008
【図７】
2020182665.tif 000009
【図８】
2020182665.tif 000010
【図９】
2020182665.tif 000011
【図１０】
2020182665.tif 000012